【手続補正書】
【提出日】平成26年2月10日(2014.2.10)
【手続補正１】
【補正対象書類名】明細書
【補正対象項目名】００２１
【補正方法】変更
【補正の内容】
【００２１】
本開示の例示的な実施形態の種々の態様及び利点の概要がまとめられてきた。上記の本開示の概要は、本発明の特定の例示的実施形態の図示された各実施形態又は全ての実現形態を説明することを意図したものではない。
【手続補正２】
【補正対象書類名】明細書
【補正対象項目名】００２２
【補正方法】変更
【補正の内容】
【００２２】
図及び以下の詳細な説明は、本明細書に開示された原理を使用する特定の好ましい実施形態を更に具体的に例示する。
【手続補正３】
【補正対象書類名】明細書
【補正対象項目名】０１５９
【補正方法】変更
【補正の内容】
【０１５９】
更に、本明細書にて参照される全ての出版物及び特許は、それぞれの個々の出版物又は特許が参照により援用されることを明確にかつ個別に指示されるかのごとく、同じ範囲でそれらの全体が参照により本明細書に援用される。様々な代表的実施形態を上で説明した。これらの及びその他の実施形態は、以下の特許請求の範囲内である。
本開示は以下も包含する。
［１］
結晶性（メタ）アクリレートモノマーと共重合されてコポリマーを形成するシリコーンマクロマーを含むＬＡＢ組成物であって、前記コポリマーが、約−１５℃〜約５５℃のガラス転移温度と、約２５℃〜約８０℃の結晶性融解転移とを呈する、ＬＡＢ組成物。
［２］
前記ガラス転移温度が、少なくとも約２５℃である、［１］に記載のＬＡＢ組成物。
［３］
前記結晶性融解転移が、少なくとも約５０℃であり、任意に、前記ガラス転移温度が、少なくとも約５０℃である、［１］又は［２］に記載のＬＡＢ組成物。
［４］
前記シリコーンマクロマーが、
一般式：
【化１】
2014506281.tif 000001
を有するビニル官能性シリコーンマクロマーであって、ＲがＨ又はアルキル基であるもの、
一般式：
【化２】
2014506281.tif 000002
を有するメルカプト官能性シリコーンマクロマーであって、ｘ＝２０〜１０００及びｙ＝１〜１０であるもの、
一般式：
【化３】
2014506281.tif 000003
を有するメルカプト官能性シリコーンマクロマーであって、ｘ＝２０〜１０００であるもの、
一般式：
【化４】
2014506281.tif 000004
を有するメルカプト官能性シリコーンマクロマーであって、ｘ＝２０〜１０００であるもの、
又はこれらの組み合わせから選択される、［１］〜［３］のいずれか一項に記載のＬＡＢ組成物。
［５］
前記結晶性（メタ）アクリレートモノマーが、（メタ）アクリル酸のＣ１２〜Ｃ２４アルキルエステルである、［１］〜［４］のいずれか一項に記載のＬＡＢ組成物。
［６］
前記結晶性（メタ）アクリレートモノマーが、オクタデシルアクリレート、オクタデシルメタクリレート、ベヘニルアクリレート、ベヘニルメタクリレート、及びこれらの組み合わせから選択される、［５］に記載のＬＡＢ組成物。
［７］
有機溶媒を更に含み、必要に応じて、前記有機溶媒が酢酸エチルを含む、［１］〜［６］のいずれか一項に記載のＬＡＢ組成物。
［８］
前記有機溶媒が、前記組成物の約４０重量％〜約８０重量％の量で存在する、［７］に記載のＬＡＢ組成物。
［９］
いかなる有機溶媒も実質的に含まない、［１］〜［６］のいずれか一項に記載のＬＡＢ組成物。
［１０］
前記コポリマーが、前記シリコーンマクロマー及び前記結晶性（メタ）アクリレートモノマーと共重合される少なくとも１つの極性モノマーを更に含み、前記少なくとも１つの極性モノマーが、アクリロニトリル、メチルアクリレート、アクリル酸、メタクリル酸、ヒドロキシエチルメタクリレート、ヒドロキシプロピルアクリレート、及びこれらの組み合わせから選択される、［１］〜［９］のいずれか一項に記載のＬＡＢ組成物。
［１１］
前記少なくとも１つの極性モノマーが、アクリロニトリル、メチルアクリレート、及びアクリル酸の混合物を含む、［１０］に記載のＬＡＢ組成物。
［１２］
前記シリコーンマクロマーが、フリーラジカル反応開始剤の存在下で、結晶性（メタ）アクリレートモノマーと共重合される、［１］〜［１１］のいずれか一項に記載のＬＡＢ組成物。
［１３］
前記コポリマーの重量平均分子量が、少なくとも約１５ｋＤａである、［１］〜［１２］のいずれか一項に記載のＬＡＢ組成物。
［１４］
基材の第１の主表面に適用される［１］〜［１３］のいずれか一項に記載の前記ＬＡＢ組成物を含む、物品。
［１５］
前記ＬＡＢ組成物の反対側で前記基材の第２の主表面に適用されたシリコーン接着剤を更に含む、［１４］に記載の物品。
［１６］
前記基材が、高分子フィルム、紙、織布、不織布、及び不織布高分子繊維からなるウェブから選択される、［１４］又は［１５］に記載の物品。
［１７］
前記基材が、高分子フィルムである、［１６］に記載の物品。
［１８］
前記基材がポリエチレンテレフタレート（ＰＥＴ）フィルムであり、更に、前記ＬＡＢ組成物が第２のＰＥＴフィルムに接触する場合、前記物品が約６ｇ／ｃｍ（０．０５９Ｎ／ｃｍ）未満の剥離力を呈し、前記ＬＡＢ組成物が引き続いてガラスと接触する場合、約７３ｇ／ｃｍ（０．７２Ｎ／ｃｍ）未満の再接着を呈する、［１７］に記載の物品。
［１９］
前記基材が紙であり、更に前記ＬＡＢ組成物が紙に接触する場合、前記物品が約２８ｇ／ｃｍ（０．２７Ｎ／ｃｍ）未満の剥離力を呈し、前記ＬＡＢ組成物が引き続いてガラスと接触する場合、約６４ｇ／ｃｍ（０．６３Ｎ／ｃｍ）未満の再接着を呈する、［１６］に記載の物品。
［２０］
前記物品が、ライナーレス接着テープである、［１４］〜［１９］のいずれか一項に記載の物品。
［２１］
前記シリコーン接着剤が、放射線硬化シリコーンゲルを含み、更に前記シリコーンゲルが、架橋されたポリジオルガノシロキサン材料を含む、［１４］〜［２０］のいずれか一項に記載の物品。
［２２］
前記シリコーン接着剤が、ポリジオルガノシロキサン材料を含む組成物を、電子ビーム放射及びガンマ放射のうちの少なくとも１つに、前記ポリジオルガノシロキサン材料を架橋するのに十分な線量で曝露することによって形成される、［２１］に記載の物品。
［２３］
前記ポリジオルガノシロキサン材料が、ポリジメチルシロキサンを含む、［２１］又は［２２］に記載の物品。
［２４］
前記ポリジメチルシロキサンが、１つ以上のシラノール末端ポリジメチルシロキサン、１つ以上の非官能性ポリジメチルシロキサン、及びこれらの組み合わせからなる群から選択される、［２３］に記載の物品。
［２５］
前記ポリジメチルシロキサンが、１つ以上の非官能性ポリジメチルシロキサンからなる、［２４］に記載の物品。
［２６］
前記シリコーン接着剤が、シリケート樹脂粘着付与剤を更に含む、［２１］〜［２５］のいずれか一項に記載の物品。
［２７］
前記シリコーン接着剤が、ポリ（ジメチルシロキサン−オキサミド）線状コポリマーを更に含む、［２１］〜［２６］のいずれか一項に記載の物品。
［２８］
前記ポリジオルガノシロキサン材料が、２５℃で１，０００，０００ｍＰａ・秒以下の動的粘度を有するポリジオルガノシロキサン流体を含む、［２１］〜［２７］のいずれか一項に記載の物品。
［２９］
前記ポリジオルガノシロキサン材料が、２５℃で１００，０００センチストーク（０．１ｍ２／ｓ）以下の運動粘度を有するポリジオルガノシロキサン流体からなる、［２１］〜［２８］のいずれか一項に記載の物品。
［３０］
前記シリコーン接着剤が、皮膚剥離接着手順に従って測定されるものとして、２．５４センチメートル当たり２００グラム（１．９６Ｎ／２．５４ｃｍ）以下の、ヒト皮膚からの１８０度の剥離接着力を有する、［２１］〜［２９］のいずれか一項に記載の物品。
［３１］
前記シリコーン接着剤が、２０〜２００マイクロメートルの厚さを有する、［２１］〜［３０］のいずれか一項に記載の物品。
［３２］
接着剤物品を作製する方法であって、
ＬＡＢ組成物が、結晶性（メタ）アクリレートモノマーと共重合されてコポリマーを形成するシリコーンマクロマーを含み、前記コポリマーが、約−１５℃〜約５５℃のガラス転移温度と、約２５℃〜約８０℃の結晶性融解転移とを呈する、［１］〜［１３］のいずれか一項に記載の前記ＬＡＢ組成物を、基材の第１の主表面に適用することと、
前記ＬＡＢ組成物の反対側でシリコーン接着剤を前記基材の第２の主表面に適用することと、
を含む、方法。
［３３］
前記シリコーンマクロマーが、溶液重合又はバルク重合において、結晶性（メタ）アクリレートモノマーと共重合されてコポリマーを形成する、［１］〜［１３］のいずれか一項によるＬＡＢ組成物を作製する方法。
【手続補正４】
【補正対象書類名】特許請求の範囲
【補正対象項目名】全文
【補正方法】変更
【補正の内容】
【特許請求の範囲】
【請求項１】
結晶性（メタ）アクリレートモノマーと共重合されてコポリマーを形成するシリコーンマクロマーを含むＬＡＢ組成物であって、前記コポリマーが、約−１５℃〜約５５℃のガラス転移温度と、約２５℃〜約８０℃の結晶性融解転移とを呈する、ＬＡＢ組成物。
【請求項２】
前記シリコーンマクロマーが、
一般式：
【化１】
2014506281.tif 000005
を有するビニル官能性シリコーンマクロマーであって、ＲがＨ又はアルキル基であるもの、
一般式：
【化２】
2014506281.tif 000006
を有するメルカプト官能性シリコーンマクロマーであって、ｘ＝２０〜１０００及びｙ＝１〜１０であるもの、
一般式：
【化３】
2014506281.tif 000007
を有するメルカプト官能性シリコーンマクロマーであって、ｘ＝２０〜１０００であるもの、
一般式：
【化４】
2014506281.tif 000008
を有するメルカプト官能性シリコーンマクロマーであって、ｘ＝２０〜１０００であるもの、
又はこれらの組み合わせから選択される、請求項１に記載のＬＡＢ組成物。
【請求項３】
前記結晶性（メタ）アクリレートモノマーが、（メタ）アクリル酸のＣ１２〜Ｃ２４アルキルエステルである、請求項１に記載のＬＡＢ組成物。
【請求項４】
基材の第１の主表面に適用される請求項１に記載の前記ＬＡＢ組成物を含む、物品。
【請求項５】
前記ＬＡＢ組成物の反対側で前記基材の第２の主表面に適用されたシリコーン接着剤を更に含む、請求項４に記載の物品。